(57)【特許請求の範囲】
【請求項１】
パケットを順次に受信する受信端で無線環境の変化をモニタリングする第１段階と、
前記受信端で無線環境の変化に従って変更されるコーディングタイプを決定して、決定されたコーディングと、前記決定されたコーディングタイプに従う転送率で転送するパケットである最下位パケットのシーケンスナンバーとを送信端に知らせる第２段階と、
前記送信端が、前記決定したコーディングタイプに従う転送率で前記シーケンスナンバーに該当するパケットを順次に転送する第３段階と
を含むことを特徴とするデータ通信方法。
【請求項２】
前記第２段階において、前記受信端が、前記変更決定されたコーディングタイプと前記最下位パケットのシーケンスナンバーとが含まれたコントロールメッセージを生成して前記送信端へ転送することを特徴とする請求項１に記載のデータ通信方法。
【請求項３】
前記第３段階において、前記送信端が前記転送されたコントロールメッセージをチェックし、以後にそのコントロールメッセージに対応する応答メッセージを前記受信端へ直ちに転送することを特徴とする請求項２に記載のデータ通信方法。
【請求項４】
前記第３段階は、
前記送信端が、前記受信端で知らせたコーディングタイプに従うパケットを再生成した後、該当転送率でその再生成したパケットを順次に転送することを特徴とする請求項１に記載のデータ通信方法。
【請求項５】
前記第３段階において、前記送信端は前記受信端に受信されていないパケットに対して、前記変更するコーディングタイプに従って再生成させることを特徴とする請求項４に記載のデータ通信方法。
【請求項６】
前記第３段階において、前記送信端は前記受信端の第２層から上位階層へ伝達するために再組立させたパケットを除いたパケットに対して、前記変更するコーディングタイプに従って再生成させることを特徴とする請求項４に記載のデータ通信方法。
【請求項７】
パケットを順次に受信する受信端で無線環境の変化をモニタリングする第１段階と、
前記無線環境の変化によって喪失したパケットが存在する時、前記受信端が前記無線環境の変化に従って変更されるコーディングタイプを決定する第２段階と、
前記受信端がコーディングタイプの変更事実および前記喪失したパケットを知らせるための制御メッセージを送信端へ転送する第３段階と、
前記送信端が前記制御メッセージに対する応答メッセージを送出した後、前記喪失したパケットを繰り返して再転送し、その後に、前記受信端が一番最近受信したパケット以後パケットの転送を中断する第４段階と、
前記送信端から再転送された喪失パケットが定常に受信される場合に、前記受信端で変更決定されたコーディングタイプを前記送信端に知らせる第５段階と、
前記送信端で、前記変更決定されたコーディングタイプに従う転送率で前記転送中断されたパケットを前記受信端へ転送する第６段階と
を包含することを特徴とするデータ通信方法。
【請求項８】
前記第１段階は、
前記受信端で前記パケットを受信しながら同時に受信したパケットの信号強度と信号品質をモニタリングして、無線環境変化による喪失パケットをチェックすることを特徴とする請求項７に記載のデータ通信方法。
【請求項９】
前記第３段階は、
前記コーディングタイプの変更事実と、前記受信端が一番最近受信したパケットのシーケンスナンバーと、前記喪失したパケットのシーケンスナンバーが含まれた制御メッセージとを前記受信端が前記送信端へ転送することを特徴とする請求項７に記載のデータ通信方法。
【請求項１０】
前記第３段階において、前記受信端が前記制御メッセージを転送した後に、前記受信端が既受信されたパケットを変更以前のコーディングタイプで復号化することを特徴とする請求項９に記載のデータ通信方法。
【発明の詳細な説明】
【０００１】
【発明の属する技術分野】
本発明は次世代移動通信システムに関し、特に、確認データ転送モード（ａｃｋｎｏｗｌｅｄｇｅｄ  ｄａｔａ  ｔｒａｎｓｆｅｒ  ｍｏｄｅ）で適応符号化（ａｄａｐｔｉｖｅ  ｍｏｄｕｌａｔｉｏｎ）を同時に利用してデータを転送するデータ通信方法に関する。
【０００２】
【従来の技術】
一般に、データ通信システムを実現するためのプロトコルは下位から第１階層、第２階層、第３階層、そして、その上位階層から区分される。
【０００３】
第１階層は物理階層であって、データのエンコーディング／デコーディングと、レートマッチング  （ｒａｔｅ  ｍａｔｃｈｉｎｇ）と、モジュレーション／デモジュレーション（ｍｏｄｕｌａｔｉｏｎ／ｄｅｍｏｄｕｌａｔｉｏｎ）と、拡散／逆拡散  （ｓｐｒｅａｄｉｎｇ／ｄｅｓｐｒｅａｄｉｎｇ）などとが定義される。
【０００４】
第２階層はＭＡＣ（Ｍｅｄｉｕｍ  Ａｃｃｅｓｓ  Ｃｏｎｔｒｏｌ）階層とＲＬＣ（Ｒａｄｉｏ  Ｌｉｎｋ  Ｃｏｎｔｒｏｌ）階層との２つのサブ階層がある。
【０００５】
ＭＡＣ階層はデータ転送、測定値の報告（トラフィック量、品質表示など）、および、無線資源の割当／再割当のようなサービスを提供する。
【０００６】
ＲＬＣ階層は無線リンクの連結設定／解除、トランスパレントデータ転送（ｔｒａｎｓｐａｒｅｎｔ  ｄａｔａ  ｔｒａｎｓｆｅｒ）、一方データ転送（ｕｎａｃｋｎｏｗｌｅｄｇｅｄ  ｄａｔａ  ｔｒａｎｓｆｅｒ）、確認データ転送（ａｃｋｎｏｗｌｅｄｇｅｄ  ｄａｔａ  ｔｒａｎｓｆｅｒ）、ＱｏＳ（ｑｕａｌｉｔｙ  ｏｆ  ｓｅｒｖｉｃｅ）設定、復旧不可能なエラーの知らせ、そして、上位階層測定値の多重転送のようなサービスを提供する。
【０００７】
第３階層はＲＲＣ（Ｒａｄｉｏ  Ｒｅｓｏｕｒｃｅ  Ｃｏｎｔｒｏｌ）階層を含む。このようなプロトコル階層のサービスによってデータ通信が実現される。
【０００８】
特に、前記した第２階層のＲＬＣ階層が提供するサービスの一方データ転送（ｕｎａｃｋｎｏｗｌｅｄｇｅｄ  ｄａｔａ  ｔｒａｎｓｆｅｒ）および確認データ転送（ａｃｋｎｏｗｌｅｄｇｅｄ  ｄａｔａ  ｔｒａｎｓｆｅｒ）はデータ通信の転送モードを決定する。
【０００９】
確認データ転送モード（ａｃｋｎｏｗｌｅｄｇｅ  ｄａｔａ  ｔｒａｎｓｆｅｒ  ｍｏｄｅ）はデータ転送を更に保障するためのもので、その確認データ転送モードは再転送によって実現される。
【００１０】
そして、最近のデータ通信の標準化動向によれば、時々刻々に変わり行く無線環境に効果的に適応するよう、無線環境に従ってコーディングタイプを変えてデータ転送率を変化させる方法が広く使用されている。これを適応符号化（ａｄａｐｔｉｖｅ  ｍｏｄｕｌａｔｉｏｎ）という。
【００１１】
ところが、従来技術では確認データ転送モードのデータ転送と適応符号化とを同時に考慮したシステムの実現方案が提示されていない。
【００１２】
問題となる所は、確認データ転送モードを使用するデータ通信システムに対して適応符号化を適用して情報を伝達しようとする時、一つの情報が完全に伝達されていない状態で無線環境が変化して、データの転送有効長さが変わるような場合である。
【００１３】
上記の場合において、システムは、データの転送有効長さが変化するので、新たな長さのパケットを形成すべきである。その後再形成されたパケット（ｐａｃｋｅｔｓ）を再転送すべきである。
【００１４】
従来技術では再形成されたパケットを再転送するために、以前に設定されていた無線リンク連結を解除し、再転送されるパケットが再形成された後、新たな無線リンク連結を確立すべきである。このような無線リンクの解除と確立は第２階層で定義される。
【００１５】
【発明が解決しようとする課題】
結局、上記のように一つの情報に対する転送の保障性を高めるために無線リンク連結を再設定しなければならない従来技術では、転送遅延が発生するような非効率性が引き起こされる問題がある。
【００１６】
反面、上記のように無線リンク連結を再び確立しないためには適応符号化（ａｄａｐｔｉｖｅ  ｍｏｄｕｌａｔｉｏｎ）を適用するべきではなく、そうとしてもパケット転送時に遅延が発生することは勿論、転送パケットにエラーが発生する確率が高くなる。
【００１７】
そこで、本発明の目的は、データ転送の保障性を高めつつ無線環境に従って変化するデータ転送率を考慮してデータが転送されるように、確認データ転送モード（ａｃｋｎｏｗｌｅｄｇｅｄ  ｄａｔａ  ｔｒａｎｓｆｅｒ  ｍｏｄｅ）で適応符号化（ａｄａｐｔｉｖｅ  ｍｏｄｕｌａｔｉｏｎ）が同時に適用されるデータ通信方法を提供することにある。
【００１８】
【課題を解決するための手段】
このような目的を達成するための本発明によるデータ通信方法の特徴は、パケットを順次に受信する前記受信端で無線環境の変化をモニタリングする第１段階と、前記受信端で無線環境の変化に従って変更されるコーディングタイプを決定して送信端に知らせる第２段階と、前記送信端から、前記決定したコーディングタイプに従う転送率で該当するパケットを順次に転送する第３段階とからなることを特徴とする。
【００１９】
上記目的を達成するための本発明の別の特徴は、パケットを順次に受信する前記受信端で無線環境の変化をモニタリングする第１段階と、前記無線環境の変化による喪失パケットが存在する時、前記受信端が前記無線環境の変化に従って変更されるコーディングタイプを決定する第２段階と、前記受信端がコーディングタイプの変更事実や前記喪失パケットを知らせるための制御メッセージを送信端へ転送する第３段階と、前記送信端が前記制御メッセージに対する応答メッセージを送出した後、前記喪失パケットを繰り返して再転送する第４段階とからなることを特徴とする。
【００２０】
本発明は、パケットを順次に受信する受信端で無線環境の変化をモニタリングする第１段階と、前記受信端で無線環境の変化に従って変更されるコーディングタイプを決定して送信端に知らせる第２段階と、前記送信端から、前記決定したコーディングタイプに従う転送率で該当するパケットを順次に転送する第３段階とからなることを特徴とするデータ通信方法であり、これにより上記目的が達成される。
【００２１】
本発明の一実施形態は、前記第２段階は、前記受信端が、前記決定されたコーディングタイプに従う転送率で転送するパケット最下位パケットのシーケンスナンバーを前記送信端に知らせることを特徴とするデータ通信方法である。
【００２２】
本発明の一実施形態は、前記変更決定されたコーディングタイプと前記最下位パケットのシーケンスナンバーとが含まれたコントロールメッセージを生成して前記送信端へ転送することを特徴とするデータ通信方法である。
【００２３】
本発明の一実施形態は、前記送信端が前記転送されたコントロールメッセージをチェックし、以後にそのコントロールメッセージに対応する応答メッセージを前記受信端へ直ちに転送することを特徴とするデータ通信方法である。
【００２４】
本発明の一実施形態は、前記第３段階は、前記受信端で知らせたコーディングタイプに従うパケットを再生成した後、該当転送率でその再生成したパケットを順次に転送することを特徴とするデータ通信方法である。
【００２５】
本発明の一実施形態は、前記送信端は前記受信端に受信されていないパケットに対して、前記変更するコーディングタイプに従って再生成させることを特徴とするデータ通信方法である。
【００２６】
本発明の一実施形態は、前記送信端は前記受信端の第２層から上位階層へ伝達するために再組立させたパケットを除いたパケットに対して、前記変更するコーディングタイプに従って再生成させることを特徴とするデータ通信方法である。
【００２７】
さらに本発明は、パケットを順次に受信する前記受信端で無線環境の変化をモニタリングする第１段階と、前記無線環境の変化に従う喪失したパケットが存在する時、前記受信端が前記無線環境の変化に従って変更されるコーディングタイプを決定する第２段階と、前記受信端がコーディングタイプの変更事実や前記喪失したパケットを知らせるための制御メッセージを送信端へ転送する第３段階と、前記送信端が前記制御メッセージに対する応答メッセージを送出した後、前記喪失したパケットを繰り返して再転送する第４段階とからなることを特徴とするデータ通信方法であり、これにより上記目的が達成される。
【００２８】
本発明の一実施形態は、前記第１段階は、前記受信端で前記パケットを受信しながら同時に受信したパケットの信号強度と信号品質をモニタリングして、無線環境変化による喪失パケットをチェックすることを特徴とするデータ通信方法である。
【００２９】
本発明の一実施形態は、前記第３段階は、前記コーディングタイプの変更事実と、前記受信端が一番最近受信したパケットのシーケンスナンバーと、前記喪失したパケットのＳＮｓが含まれた制御メッセージとを前記受信端が前記送信端へ転送することを特徴とするデータ通信方法である。
【００３０】
本発明の一実施形態は、前記受信端が前記制御メッセージを転送した後に、前記受信端が既受信されたパケットを変更以前のコーディングタイプで復号化することを特徴とするデータ通信方法である。
【００３１】
本発明の一実施形態は、前記第４段階は、前記送信端が前記受信端の制御メッセージに対する応答メッセージを送出したのち、前記受信端が一番最近受信したパケット以後パケットの転送を中断することを特徴とするデータ通信方法である。
【００３２】
本発明の一実施形態は、前記第４段階の後、前記送信端から転送された喪失ソケットが定常に受信される場合に、前記受信端で変更決定されたコーディングタイプを前記送信端に知らせる段階が更に含まれることを特徴とするデータ通信方法である。
【００３３】
本発明の一実施形態は、前記送信端で、前記変更決定されたコーディングタイプに従う転送率で前記転送中断されたパケットを前記受信端へ転送することを特徴とするデータ通信方法である。
【００３４】
【発明の実施の形態】
以下、本発明によるデータ通信方法に対する好ましい実施形態を添付の図面に基づいて説明する。
【００３５】
本発明の詳細な説明に先立ってデータ通信プロトコルの定義に従って形成されるデータフローを説明する。
【００３６】
図１はデータ通信システムのプロトコル定義に従うデータフローを示す図面である。
【００３７】
図１を参照すると、伝達する特定情報（制御情報及びユーザ情報）は上位階層で定義される一つのＰＤＵ（Ｐｒｏｔｏｃｏｌ  Ｄａｔａ  Ｕｎｉｔ）で形成される。
【００３８】
その上位階層のＰＤＵは第２階層のＲＬＣ階層で一つのＳＤＵ（Ｓｅｒｖｉｃｅ  Ｄａｔａ  Ｕｎｉｔ）に定義され、そのＳＤＵは複数個のＰＤＵに分割される。ここで、ＲＬＣ階層がトランスパレント（ｔｒａｎｓｐａｒｅｎｔ）かノントランスパレント（ｎｏｎ−ｔｒａｎｓｐａｒｅｎｔ）かにより分割されたＰＤＵにＲＬＣヘッダが付けられる。
【００３９】
即ち、ＲＬＣ階層がノントランスパレントの場合のみに分割された各ＰＤＵにＲＬＣヘッダが付けられる。
【００４０】
そのＲＬＣヘッダにはＲＬＣ階層の特性に従うコントロールインフォメーションが挿入されるが、例えば、上位階層で形成されたＰＤＵを複数のＲＬＣ  ＰＤＵに分割するに従う各ＲＬＣ  ＰＤＵの順序を定めるための情報が挿入される。
【００４１】
そのＲＬＣ階層のＰＤＵはＭＡＣ階層で一つのＳＤＵに定義され、そのＳＤＵからＭＡＣ階層のＰＤＵの複数の転送ブロックが形成される。ここで、ＭＡＣ階層がトランスパレントかノントランスパレントかに従ってＭＡＣ  ＰＤＵにＭＡＣヘッダが付けられる。即ち、ＭＡＣ階層がノントランスパレントの場合のみに各ＰＤＵにＭＡＣヘッダが付けられる。そのＭＡＣヘッダにはＭＡＣ階層の特性に従うコントロール情報が挿入される。
【００４２】
その形成されたトランスポートブロックにエラーチェックビット（ＣＲＣ）がそれぞれ添加され、第１階層で定義される複数のパケットが形成される。その形成されたパケットが無線空間に転送される。転送される各パケットにはシーケンスナンバーが与えられる。
【００４３】
このようなパケットは転送過程で無線環境の影響により信号強度が弱くなったり、干渉やノイズなどによって信号品質が劣るような場合が発生する。
【００４４】
それにより、無線環境の変化に従って転送率を変化させる適応符号化（ａｄａｐｔｉｖｅ  ｍｏｄｕｌａｔｉｏｎ）が適用される。
【００４５】
上記したデータフローに基づいた本発明によるデータ通信方法に対して以下に説明する。以下、本発明に関する説明は上向きリンク（端末側からシステム側に）及び下向きリンク（システム側から端末側に）のデータ転送に共に適用される。
【００４６】
そして、本発明はデータ転送率と関係したコーディングタイプに対して、即刻転換方式又は遅延応答方式を状況に合わせて適用してデータ転送を保障する。
【００４７】
図２は本発明の第１実施形態による即刻転換方式のデータ通信方法を説明するための図面である。
【００４８】
図２ではシーケンスナンバー（以下、ＳＮ）が０から１５まで与えられたパケットが適応符号化（ａｄａｐｔｉｖｅ  ｍｏｄｕｌａｔｉｏｎ）を使用して転送される場合を示す。
【００４９】
即ち、図示したように、送信端から転送されたパケットのうち１２番目のパケットが転送される途中に無線環境の変化によってデータ転送率が変わるような場合を示すもので、無線環境の変化に対して受信端が送信端のデータ転送率を決定して以後転送されるデータの転送率を知らせる。
【００５０】
この際、受信端では変化したコーディングタイプと、その変化したコーディングタイプの適用を受けて再転送の対象となるパケットの最下位シーケンスナンバー（図２ではＳＮ＝１２）を送信端に知らせるための制御情報が含まれたコントロールＰＤＵを形成して送信端へ転送する。
【００５１】
これに対して、送信端は受信されたコントロールＰＤＵに対応する応答メッセージを直ちに受信端へ転送し、次いで、再転送の対象となるパケット（ＳＮ＝１２パケットから）を受信端から知らせられたコーディングタイプの転送率で転送する。
【００５２】
前記で再転送の対象となるパケットは受信端に受信されていないパケットであるか、受信端の第２階層から上位階層へ伝達するために再組立されたパケットの以前のパケット（即ち、再組立されていないパケット）である。
【００５３】
図３は本発明の第１実施形態による即刻転換方式のデータ通信方法を示すフローチャートである。
【００５４】
図３を参照すると、伝達される情報（ユーザ情報）は上位階層で定義される一つのＰＤＵ（Ｐｒｏｔｏｃｏｌ  Ｄａｔａ  Ｕｎｉｔ）で形成された後、現在転送率に合うように第２階層の分割過程を経る（Ｓ１，Ｓ２）。その後、直接情報の転送を担当する第１階層では分割過程により分割されたトランスポートブロックから転送パケットを形成する（Ｓ３）。そして、現在の転送率でパケットを受信端へ転送する（Ｓ４）。
【００５５】
受信端では送信端のパケットを受信しながら同時に受信されたパケットの信号強度と信号品質をモニタリングする（Ｓ５，Ｓ６）。そのモニタリングに基づいて無線環境の変化を調べる。
【００５６】
受信端はもし信号強度及び信号品質に基づき現在の無線環境が変化したと判断されると（Ｓ７）、現在の無線環境に適合するようなコーディングタイプを決定する（Ｓ８）。これは受信端が送信端のデータ転送率を決定することを意味する。
【００５７】
受信端は変更決定されたコーディングタイプと、そのコーディングタイプの変更によって送信端から再転送されるべきパケットの最下位シーケンスナンバーが含まれたコントロールＰＤＵ（又はコントロールメッセージ）を生成して送信端へ転送する（Ｓ９）。
【００５８】
これに対して送信端は受信されたコントロールＰＤＵに含まれた制御情報をチェックした後、対応される応答メッセージを直ちに受信端へ転送する（Ｓ１０，Ｓ１１）。そして、送信端は制御情報に含まれたＳＮのパケットから再び受信端へ転送する（Ｓ１３）。この際、送信端は受信端から知らせられたコーディングタイプによる転送率に合うようなパケットを再生成した後、それを再転送する（Ｓ１２，Ｓ１３）。
【００５９】
前記で再転送の対象となるパケットは受信端に受信されていないパケットであるか、受信端の第２階層から上位階層へ伝達するために再組立されたパケットに続くパケット（即ち、再組立されていないパケット）である。
【００６０】
図４は本発明の第２実施形態による遅延応答方式のデータ通信方法を説明するための図面である。
【００６１】
図４ではＳＮが０からＮまで与えられたパケットが適応符号化（ａｄａｐｔｉｖｅ  ｍｏｄｕｌａｔｉｏｎ）を使用して転送される場合を示すものである。
【００６２】
即ち、図示したように、送信端から転送されたパケットのうち１１番目と１２番目パケットが転送される途中に無線環境の変化によってデータ転送率が変わり、その２つのパケットが喪失された場合を示すものである。この際、無線環境の変化に対して受信端が送信端のデータ転送率を決定して以後転送されるデータの転送率を知らせる。
【００６３】
受信端ではコーディングタイプの変更事実と、一番最近受信されたパケットのＳＮ（Ｌａｔｅｓｔ  Ｓｅｑｕｅｎｃｅ  Ｎｕｍｂｅｒ＝ＬＳＮ）と、転送途中に喪失された（受信されていない）パケットのＳＮｓ（図４ではＳＮ＝１１，１２）を送信端へ知らせるための制御情報が含まれたコントロールＰＤＵを形成して送信端へ転送する。
【００６４】
そして、受信端は送信端からコントロールＰＤＵに対する応答メッセージを受信する前まで既受信されたパケットを変更以前の既存コーディングタイプで復号化し、また、復号化されたパケットに入っている情報を上位階層へ伝達するために受信端の第２階層で再組立させる。
【００６５】
これに対して、送信端は受信されたコントロールＰＤＵに含まれた制御情報に基づき、まず、その制御情報に含まれたＬＳＮ以後パケットの転送を中断し、また、その制御情報に含まれた喪失パケットの再転送を順次に繰り返す。
【００６６】
受信端は送信端から再転送された喪失パケットが正常に受信されると、変更したコーディングタイプを知らせるための制御情報が含まれた確認メッセージを送信端へ伝達する。
【００６７】
それに対して、送信端は受信端の確認メッセージが受信されると、その確認メッセージに含まれたコーディングタイプに従う転送率で転送が中断されたＬＳＮ以後の残りパケットを受信端へ転送する。
【００６８】
図５ａおよび図５ｂは本発明の第２実施形態による遅延応答方式のデータ通信方法を示すフローチャートである。
【００６９】
図５ａおよび図５ｂを参照すると、図３の説明と同様に、伝達される情報（ユーザ情報）は上位階層で定義される一つのＰＤＵで形成された後、現在の転送率に合うように第２階層の分割過程を経る（Ｓ２０，Ｓ２１）。
【００７０】
以後、直接情報の転送を担当する第１階層では分割過程により分割されたトランスポートブロックから転送パケットを形成する（Ｓ２２）。そして、現在転送率でパケットを受信端へ転送する（Ｓ２３）。
【００７１】
受信端では送信端のパケットを受信しながら同時に受信されたパケットの信号強度と信号品質をモニタリングして（Ｓ２４，Ｓ２５）、無線環境変化に従う喪失パケットをチェックする（Ｓ２６）。
【００７２】
受信端はもし無線環境の変化による喪失パケットが存在すると判断されると（Ｓ２７）、現在無線環境に適合したコーディングタイプを決定する（Ｓ２８）。これは受信端が送信端のデータ転送率を決定することを意味する。
【００７３】
受信端はコーディングタイプの変更事実と、一番最近に受信されたパケットのＳＮ（Ｌａｔｅｓｔ  Ｓｅｑｕｅｎｃｅ  Ｎｕｍｂｅｒ＝ＬＳＮ）と転送途中に喪失された（受信されていない）パケットのＳＮｓとが含まれたコントロールＰＤＵ（又はコントロールメッセージ）を生成して送信端へ転送する（Ｓ２９）。
【００７４】
そして、受信端は送信端からコントロールＰＤＵ（又はコントロールメッセージ）に対する応答メッセージが受信されるかを続けて調べ（Ｓ３０）、同時に受信端は既受信されたパケットを変更以前の既存コーディングタイプで復号化する（Ｓ３１）。また、受信端の第２階層ではパケットの復号化により生成されたＰＤＵを再組立させ、一つのＰＤＵを完成する（Ｓ３２）。
【００７５】
送信端は受信されたコントロールＰＤＵ（又はコントロールメッセージ）をチェックしたのち、対応する応答メッセージを直ちに受信端へ転送する（Ｓ３３，Ｓ３４）。
【００７６】
次いで、送信端は受信されたコントロールＰＤＵ（又はコントロールメッセージ）に基づき、まず、そのコントロールＰＤＵ（又はコントロールメッセージ）に含まれたＬＳＮ以後パケットの転送を中断する（Ｓ３５）。また、そのコントロールＰＤＵ（又はコントロールメッセージ）に含まれた喪失パケットの再転送を順次に繰り返す（Ｓ３６）。
【００７７】
受信端は送信端から繰り返して再転送された喪失パケットが正常に受信されると（Ｓ３７）、変更決定されたコーディングタイプが含まれた確認メッセージを送信端へ伝達する（Ｓ３８）。
【００７８】
それに対して送信端は受信端の確認メッセージが受信されると（Ｓ３９）、その確認メッセージに含まれたコーディングタイプによる転送率で転送が中断されていたＬＳＮ以後の残りパケットを受信端へ転送する（Ｓ４０）。
【００７９】
本発明によるデータ通信方法は、パケットを順次に受信する前記受信端で無線環境の変化をモニタリングする第１段階と、前記受信端で無線環境の変化に従って変更されるコーディングタイプを決定して送信端に知らせる第２段階と、前記送信端から、前記決定したコーディングタイプに従う転送率で該当するパケットを順次に転送する第３段階とからなることを特徴とする。
【００８０】
【発明の効果】
以上説明したような本発明によるデータ通信方法は、適応符号化（ａｄａｐｔｉｖｅ  ｍｏｄｕｌａｔｉｏｎ）によるコーディングタイプの変更が要求される時、別途の無線リンク連結の再設定が必要ないため、データ転送の遅延が発生しない。結局、情報に対する転送の保障性が確保されることは勿論、データ転送の効率性が高まるという効果がある。
【００８１】
そして、本発明はデータ転送の標準案のＧＰＲＳ（Ｇｅｎｅｒａｌ  Ｐａｃｋｅｔ  Ｒａｄｉｏ  Ｓｅｒｖｉｃｅ）のように適応符号化（ａｄａｐｔｉｖｅ  ｍｏｄｕｌａｔｉｏｎ）を適用する場合により効果的である。
【図面の簡単な説明】
【図１】図１は、データ通信システムのプロトコル定義に従うデータフローを示す。
【図２】図２は、本発明の第１実施形態による即刻転換方式のデータ通信方法を説明する。
【図３】図３は、本発明の第１実施形態による即刻転換方式のデータ通信方法を示すフローチャート。
【図４】図４は、本発明の第２実施形態による遅延応答方式のデータ通信方法を説明する。
【図５ａ】図５ａは、本発明の第２実施形態による遅延応答方式のデータ通信方法を示すフローチャートである。
【図５ｂ】図５ｂは、本発明の第２実施形態による遅延応答方式のデータ通信方法を示すフローチャートである。
【図１】
0003744884.tif 000002
【図２】
0003744884.tif 000003
【図３】
0003744884.tif 000004
【図４】
0003744884.tif 000005
【図５ａ】
0003744884.tif 000006
【図５ｂ】
0003744884.tif 000007